【手続補正書】
【提出日】平成16年9月8日(2004.9.8)
【手続補正１】
【補正対象書類名】明細書
【補正対象項目名】特許請求の範囲
【補正方法】変更
【補正の内容】
【特許請求の範囲】
【請求項１】
遊技機に対応して設けられ、記録媒体の記録情報により特定される遊技用価値を当該遊技用価値の範囲内で引き落として前記遊技機における遊技に使用するための使用処理を行なう使用処理手段を含む記録媒体処理装置であって、
前記記録媒体の記録情報を読出す記録情報読出手段と、
該記録情報読出手段が読出した記録情報を、当該記録情報を用いて前記記録媒体を認証する管理装置へ送信する情報送信手段と、
該情報送信手段による前記管理装置との通信が可能なオンライン状態であるか、通信が不可能なオフライン状態であるかを判別する通信状態判別手段と、
該通信状態判別手段が前記オンライン状態であると判別したときに、前記記録媒体の記録情報により特定される遊技用価値を加算更新するために前記記録媒体処理装置に入金された入金額が予め定めた第１上限額を超えているか否かを判別する第１上限額判別手段と、
前記通信状態判別手段が前記オフライン状態であると判別したときに、前記入金額が前記第１上限額よりも低い所定の第２上限額を超えているか否かを判別する第２上限額判別手段と、
前記オンライン状態においては前記第１上限額判別手段により前記入金額が前記第１上限額を超えていないと判別されたことを条件として前記記録媒体の記録情報により特定される遊技用価値に前記入金額相当分の遊技用価値を加算し、前記オフライン状態においては前記第２上限額判別手段により前記入金額が前記第２上限額を超えていないと判別されたことを条件として前記記録媒体の記録情報により特定される遊技用価値に前記入金額相当分の遊技用価値を加算する加算手段とを含むことを特徴とする、記録媒体処理装置。
【請求項２】
前記使用処理を行なうための操作を検出する操作検出手段をさらに含み、
前記使用処理手段は、
前記オンライン状態においては前記操作検出手段が前記操作を検出したことに基づいて、前記遊技用価値を予め定められた貸出設定金額分引き落として前記使用処理を行ない、
前記オフライン状態においては前記操作検出手段による前記操作の検出によらず、前記加算手段により加算された遊技用価値のすべてを引き落として前記使用処理を行なうことを特徴とする、請求項１に記載の記録媒体処理装置。
【請求項３】
前記記録媒体の認証をするための認証用データを記憶する記憶手段と、
前記オフライン状態のときに、前記記憶手段に記憶されている認証用データと前記記録媒体に予め記録されている認証用データとを比較判定することによって前記記録媒体の認証をする認証手段とをさらに含むことを特徴とする、請求項１または請求項２に記載の記録媒体処理装置。
【手続補正２】
【補正対象書類名】明細書
【補正対象項目名】０００１
【補正方法】変更
【補正の内容】
【０００１】
【発明の属する技術分野】
本発明は、たとえばカードユニット等で代表される記録媒体処理装置に関し、詳しくは、遊技機に対応して設けられ、記録媒体の記録情報により特定される遊技用価値を当該遊技用価値の範囲内で引き落として前記遊技機における遊技に使用するための使用処理を行なう使用処理手段を含む記録媒体処理装置に関する。
【手続補正３】
【補正対象書類名】明細書
【補正対象項目名】０００２
【補正方法】変更
【補正の内容】
【０００２】
この種の記録媒体処理装置において、従来から一般的に知られているものに、たとえば、玉等の遊技媒体を使用して遊技がされるパチンコ遊技機等の遊技機に対応して設けられたカードユニット等の記録媒体処理装置があった。このような記録媒体処理装置としては、記録媒体の記録情報により特定される遊技用価値を当該遊技用価値の範囲内で引き落として前記遊技機における遊技に使用するための使用処理を行なう使用処理手段を含むものがあった。この種の記録媒体処理装置の中には、遊技者の入金操作によって、記録媒体の記録情報により特定される遊技用価値を加算更新する機能を備えるものがあった。
【手続補正４】
【補正対象書類名】明細書
【補正対象項目名】０００３
【補正方法】削除
【補正の内容】
【手続補正５】
【補正対象書類名】明細書
【補正対象項目名】０００４
【補正方法】削除
【補正の内容】
【手続補正６】
【補正対象書類名】明細書
【補正対象項目名】０００５
【補正方法】変更
【補正の内容】
【０００５】
【発明が解決しようとする課題】
この種の記録媒体処理装置と記録媒体を管理する管理装置とをオンライン接続し、記録媒体の記録情報を用いてその記録媒体を管理装置に認証させることが考えられる。その場合に、記録媒体処理装置と管理装置との通信がオフライン状態に変化したときには、管理装置側で記録媒体の記録情報を管理できないため、オンライン状態のときよりもオフライン状態のときの方が入金機能を悪用した高額の不正入金行為がしやすいと考えられる。しかし、従来の記録媒体処理装置では、そのような高額の不正入金行為を抑制することができなかった。
【手続補正７】
【補正対象書類名】明細書
【補正対象項目名】０００６
【補正方法】変更
【補正の内容】
【０００６】
本発明は、係る実情に鑑み考え出されたものであり、その目的は、オフライン状態において、記録媒体への入金機能を悪用した高額の不正入金行為を抑制することが可能な記録媒体処理装置を提供することである。
【手続補正８】
【補正対象書類名】明細書
【補正対象項目名】０００７
【補正方法】変更
【補正の内容】
【０００７】
【課題を解決するための手段の具体例およびその効果】
（１）  遊技機に対応して設けられ、記録媒体の記録情報により特定される遊技用価値を当該遊技用価値の範囲内で引き落として前記遊技機における遊技に使用するための使用処理を行なう使用処理手段を含む記録媒体処理装置であって、
前記記録媒体の記録情報を読出す記録情報読出手段と、
該記録情報読出手段が読出した記録情報を、当該記録情報を用いて前記記録媒体を認証する管理装置へ送信する情報送信手段と、
該情報送信手段による前記管理装置との通信が可能なオンライン状態であるか、通信が不可能なオフライン状態であるかを判別する通信状態判別手段と、
該通信状態判別手段が前記オンライン状態であると判別したときに、前記記録媒体の記録情報により特定される遊技用価値を加算更新するために前記記録媒体処理装置に入金された入金額が予め定めた第１上限額を超えているか否かを判別する第１上限額判別手段と、
前記通信状態判別手段が前記オフライン状態であると判別したときに、前記入金額が前記第１上限額よりも低い所定の第２上限額を超えているか否かを判別する第２上限額判別手段と、
前記オンライン状態においては前記第１上限額判別手段により前記入金額が前記第１上限額を超えていないと判別されたことを条件として前記記録媒体の記録情報により特定される遊技用価値に前記入金額相当分の遊技用価値を加算し、前記オフライン状態においては前記第２上限額判別手段により前記入金額が前記第２上限額を超えていないと判別されたことを条件として前記記録媒体の記録情報により特定される遊技用価値に前記入金額相当分の遊技用価値を加算する加算手段とを含む。
【手続補正９】
【補正対象書類名】明細書
【補正対象項目名】０００８
【補正方法】変更
【補正の内容】
【０００８】
このような構成によれば、オフライン状態において、記録媒体への入金機能を悪用した高額の不正入金行為を抑制することができる。
【手続補正１０】
【補正対象書類名】明細書
【補正対象項目名】０００９
【補正方法】変更
【補正の内容】
【０００９】
（２）  前記使用処理を行なうための操作を検出する操作検出手段をさらに含み、
前記使用処理手段は、
前記オンライン状態においては前記操作検出手段が前記操作を検出したことに基づいて、前記遊技用価値を予め定められた貸出設定金額分引き落として前記使用処理を行ない、
前記オフライン状態においては前記操作検出手段による前記操作の検出によらず、前記加算手段により加算された遊技用価値のすべてを引き落として前記使用処理を行なう。
【手続補正１１】
【補正対象書類名】明細書
【補正対象項目名】００１０
【補正方法】削除
【補正の内容】
【手続補正１２】
【補正対象書類名】明細書
【補正対象項目名】００１１
【補正方法】変更
【補正の内容】
【００１１】
（３）  前記記録媒体の認証をするための認証用データを記憶する記憶手段と、
前記オフライン状態のときに、前記記憶手段に記憶されている認証用データと前記記録媒体に予め記録されている認証用データとを比較判定することによって前記記録媒体の認証をする認証手段とをさらに含む。
【手続補正１３】
【補正対象書類名】明細書
【補正対象項目名】００１２
【補正方法】削除
【補正の内容】
【手続補正１４】
【補正対象書類名】明細書
【補正対象項目名】００１３
【補正方法】削除
【補正の内容】
【手続補正１５】
【補正対象書類名】明細書
【補正対象項目名】００１４
【補正方法】削除
【補正の内容】
【手続補正１６】
【補正対象書類名】明細書
【補正対象項目名】００１５
【補正方法】削除
【補正の内容】
【手続補正１７】
【補正対象書類名】明細書
【補正対象項目名】００１６
【補正方法】削除
【補正の内容】
【手続補正１８】
【補正対象書類名】明細書
【補正対象項目名】００１７
【補正方法】削除
【補正の内容】
【手続補正１９】
【補正対象書類名】明細書
【補正対象項目名】００１８
【補正方法】削除
【補正の内容】
【手続補正２０】
【補正対象書類名】明細書
【補正対象項目名】００１９
【補正方法】削除
【補正の内容】
【手続補正２１】
【補正対象書類名】明細書
【補正対象項目名】００２０
【補正方法】削除
【補正の内容】
【手続補正２２】
【補正対象書類名】明細書
【補正対象項目名】００２１
【補正方法】削除
【補正の内容】
【手続補正２３】
【補正対象書類名】明細書
【補正対象項目名】００２２
【補正方法】削除
【補正の内容】
【手続補正２４】
【補正対象書類名】明細書
【補正対象項目名】００２３
【補正方法】削除
【補正の内容】
【手続補正２５】
【補正対象書類名】明細書
【補正対象項目名】００２４
【補正方法】削除
【補正の内容】